【手続補正書】
【提出日】平成16年1月27日(2004.1.27)
【手続補正１】
【補正対象書類名】明細書
【補正対象項目名】発明の名称
【補正方法】変更
【補正の内容】
【発明の名称】非メモリ誤り訂正チャネルコーディングされた信号の反復伝送装置、受信装置及びその方法


【手続補正２】
【補正対象書類名】明細書
【補正対象項目名】特許請求の範囲
【補正方法】変更
【補正の内容】
【特許請求の範囲】
【請求項１】
非メモリ誤り訂正チャネルコーディングされた信号の反復伝送装置において、
伝送するデータを非メモリ誤り訂正チャネルコーディング信号にチャネル符号化するチャネル符号化部と、
同じシンボル間の距離を一定に維持し、伝送単位内でシンボル間の間隔が最大となるように前記チャネル符号化部から出力されるチャネル符号化された信号のシンボルを反復させるシンボル反復部と、
前記シンボル反復部からシンボルを入力されると、他の伝送データとデマルチプレックシング及び変調して伝送するシンボル伝送部と
を含んでなることを特徴とする非メモリ誤り訂正チャネルコーディングされた信号の反復伝送装置。
【請求項２】
前記シンボル反復部は、
前記チャネル符号化された信号のシンボル全てを単位にして繰り返すことを特徴とする請求項１に記載の非メモリ誤り訂正チャネルコーディングされた信号の反復伝送装置。
【請求項３】
前記シンボル反復部は、
前記チャネル符号化部によりチャネル符号化された信号のシンボルを貯蔵するメモリ部と、
前記チャネル符号化部から出力される前記チャネル符号化された信号のシンボルを受信し、前記メモリ部に対して所定の第１の速度でスイッチングして、前記メモリ部に記録する記録スイッチ部と、
前記メモリ部に対して所定の第２の速度でスイッチングして、前記メモリ部に記録貯蔵された前記チャネル符号化された信号のシンボルに対して同じシンボル間の距離を一定に維持し、伝送単位内でシンボル間の間隔が最大となるように所定の反復回数だけ読み取り、シンボル伝送部に出力する読取スイッチ部と、
前記メモリ部、記録スイッチ部及び読取スイッチ部を制御するシンボル反復制御部と
を含んでなることを特徴とする請求項１に記載の非メモリ誤り訂正チャネルコーディングされた信号の反復伝送装置。
【請求項４】
前記シンボル反復部は、
前記チャネル符号化部によりチャネル符号化された信号のシンボルを貯蔵し、貯蔵された前記シンボルをシンボル伝送部に出力するメモリ部と、
前記チャネル符号化部によりチャネル符号化された信号のシンボルを前記メモリ部に記録するために所定の第１の速度で記録アドレスを発生させる記録アドレス発生部と、
前記メモリ部に記録された前記チャネル符号化された信号のシンボルに対して同じシンボル間の距離を一定に維持し、伝送単位内でシンボル間の間隔が最大となるように所定の反復回数だけ読み取るために所定の第２の速度で読取アドレスを発生させる読取アドレス発生部と、
前記記録アドレス及び読取アドレスのいずれか一つのアドレスを選択して前記チャネル符号化部によりチャネル符号化された信号を前記メモリ部の前記記録アドレスに記録させるか、前記メモリ部の読取アドレスに記録貯蔵されたチャネル符号化された信号を読み取ってシンボル伝送部に出力させるアドレス選択部と、
前記メモリ部、記録アドレス発生部、読取アドレス発生部及びアドレス選択部を制御するシンボル反復制御部と
を含んでなることを特徴とする請求項１に記載の非メモリ誤り訂正チャネルコーディングされた信号の反復伝送装置。
【請求項５】
請求項１に記載の反復伝送装置からシンボルが反復伝送される非メモリ誤り訂正チャネルコーディングされた信号の受信装置において、
前記シンボル伝送部から伝送される信号を受信して復調し、前記信号をデマルチプレックシングして非メモリ誤り訂正チャネルコーディングされた信号にチャネル符号化され反復されたシンボルのみを出力するシンボル受信部と、
前記チャネル符号化され反復されたシンボルを結合して前記反復伝送装置において反復される前のチャネル符号化された信号に復旧するシンボル復旧部と、
前記シンボル復旧部から出力されるチャネル符号化された信号に対してチャネル復号化するチャネル復号化部と
を含んでなることを特徴とする非メモリ誤り訂正チャネルコーディングされた信号の受信装置。
【請求項６】
前記シンボル復旧部は、
前記シンボル受信部から出力されるチャネル符号化され反復されたシンボルを貯蔵し、貯蔵されたシンボルをチャネル複号化部に出力するメモリ部と、
前記シンボル受信部から出力される前記シンボルのうちｎ（ｎは２より大きい自然数）回目に反復された任意のシンボルと前記メモリ部に既に記録貯蔵されたｎ−１回目に反復されたシンボルであって、前記ｎ回目に反復されたシンボルに対応するシンボルを結合して、前記メモリ部に貯蔵する結合部と、
前記反復伝送装置におけるシンボル入力速度に前記反復回数をかけた値の速度で前記メモリ部の１番目の位置から順次スイッチングして、前記結合部とメモリ部とを結合させることによって、前記メモリ部に既に記録貯蔵されたシンボルを前記結合部に読み取らせ、前記結合部から出力されるシンボルを前記メモリ部に記録するスイッチ部と、
前記メモリ部、結合部、及びスイッチ部を制御するシンボル復旧制御部と
を含んでなることを特徴とする請求項５に記載の非メモリ誤り訂正チャネルコーディングされた信号の受信装置。
【請求項７】
前記シンボル復旧部は、
前記シンボル受信部から出力されるチャネル符号化され反復されたシンボルを貯蔵し、貯蔵されたシンボルをチャネル複号化部に出力するメモリ部と、
前記シンボル受信部から出力される前記シンボルのうち、ｎ（ｎは２より大きい自然数）回目に反復された任意のシンボルと前記メモリ部に既に記録貯蔵されたｎ−１回目に反復されたシンボルであって、前記ｎ回目に反復されたシンボルに対応するシンボルを結合して、前記メモリ部に貯蔵する結合部と、
前記反復伝送装置におけるシンボル入力速度に前記反復回数をかけた値の速度で前記メモリ部の１番目のアドレスから順次記録するように記録アドレスを発生させ、前記結合部とメモリ部とを連結させることによって、前記メモリ部に既に記録貯蔵されたシンボルを前記結合部に読み取らせ、前記結合部から出力されるシンボルを前記メモリ部に記録させるアドレス発生部と、
前記メモリ部、結合部及びアドレス発生部を制御するシンボル復旧制御部とを含んでなることを特徴とする請求項５に記載の非メモリ誤り訂正チャネル
コーディングされた信号の受信装置。
【請求項８】
非メモリ誤り訂正チャネルコーディングされた信号の反復伝送方法において、
伝送するデータを非メモリ誤り訂正チャネルコーディングされた信号にチャネル符号化するチャネル符号化ステップと、
同じシンボル間の距離を一定に維持し、伝送単位内でシンボル間の間隔が最大となるように前記チャネル符号化ステップによりチャネル符号化された信号のシンボルを反復させるシンボル反復ステップと、
前記シンボル反復ステップにより反復されたシンボルを他の伝送データとマルチプレックシング及び変調して伝送するシンボル伝送ステップと
を含んでなることを特徴とする非メモリ誤り訂正チャネルコーディングされた信号の反復伝送方法。
【請求項９】
前記シンボル反復ステップは、
前記チャネル符号化された信号のシンボル全てを単位にして繰り返すことを特徴とする請求項８に記載の非メモリ誤り訂正チャネルコーディングされた信号の反復伝送方法。
【請求項１０】
前記シンボル反復ステップは、
前記チャネル符号化ステップによりチャネル符号化された信号のシンボルを所定の第１の速度でスイッチングしてメモリに記録する記録スイッチステップと、
前記メモリに対して所定の第２の速度でスイッチングして前記記録されたシンボルに対して同じシンボル間の距離を一定に維持し、伝送単位内でシンボル間の間隔が最大となるように所定の反復回数だけ読み取る読取スイッチステップと
を含んでなることを特徴とする請求項８に記載の非メモリ誤り訂正チャネルコーディングされた信号の反復伝送方法。
【請求項１１】
前記シンボル反復ステップは、
前記チャネル符号化ステップによりチャネル符号化された信号のシンボルを記録するために所定の第１の速度で記録アドレスを発生させる記録アドレス発生ステップと、
前記記録されたシンボルに対して同じシンボル間の距離を一定に維持し、伝送単位内でシンボル間の間隔が最大となるように所定の反復回数だけ読み取るために所定の第２の速度で読取アドレスを発生させる読取アドレス発生ステップと、
前記記録アドレス及び読取アドレスのいずれか一つのアドレスを選択して前記チャネル符号化ステップによりチャネル符号化された信号をメモリの前記記録アドレスに記録させるか、前記メモリの読取アドレスに記録されたチャネル符号化された信号を読み取らせるアドレス選択ステップと
を含んでなることを特徴とする請求項８に記載の非メモリ誤り訂正チャネルコーディングされた信号の反復伝送方法。
【請求項１２】
請求項８に記載の反復伝送方法によりシンボルが反復伝送される非メモリ誤り訂正チャネルコーディングされた信号の受信方法において、
前記シンボル伝送ステップにより伝送される信号を受信して復調し、前記信号をデマルチプレックシングして非メモリ誤り訂正チャネルコーディング信号にチャンネル符号化され反復されたシンボルのみを出力するシンボル受信ステップと、
前記チャネル符号化され反復されたシンボルを結合して、前記反復伝送方法で反復される前のチャネル符号化された信号に復旧するシンボル復旧ステップと、
前記シンボル復旧ステップにより復旧されたチャネル符号化された信号に対してチャネル復号化するチャネル復号化ステップと
を含んでなることを特徴とする非メモリ誤り訂正チャネルコーディングされた信号の受信方法。
【請求項１３】
前記シンボル復旧ステップは、
前記シンボル受信ステップによりチャネル符号化され反復されたシンボルのうちｎ（ｎは２より大きい自然数）回目に反復された任意のシンボルと既にメモリに記録されたｎ−１回目に反復されたシンボルであって、前記ｎ回目に反復されたシンボルに対応するシンボルを結合する結合ステップと、
前記反復伝送方法におけるシンボル入力速度に前記反復回数をかけた値の速度で前記メモリの１番目の位置から順次スイッチングして、前記結合ステップのために前記メモリに既に記録されたシンボルを読み取らせ、前記結合ステップにより結合されたシンボルを前記メモリに記録するスイッチステップと
を含んでなることを特徴とする請求項１２に記載の非メモリ誤り訂正チャネルコーディングされた信号の受信方法。
【請求項１４】
前記シンボル復旧ステップは、
前記シンボル受信ステップによりチャネル符号化され反復されたシンボルのうちｎ（ｎは２より大きい自然数）回目に反復された任意のシンボルと既にメモリに記録されたｎ−１回目に反復されたシンボルであって、前記ｎ回目に反復されたシンボルに対応するシンボルを結合する結合ステップと、
前記反復伝送方法におけるシンボル入力速度に前記反復回数をかけた値の速度で前記メモリの１番目のアドレスから順次記録するように記録アドレスを発生させて、前記結合ステップのために前記メモリに既に記録されたシンボルを読み取らせ、前記結合ステップにより結合されたシンボルを前記メモリに記録させるアドレス発生ステップと
を含んでなることを特徴とする請求項１２に記載の非メモリ誤り訂正チャネルコーディングされた信号の受信方法。
【請求項１５】
前記所定の第２の速度は、
前記チャネル符号化部によりチャネル符号化された信号のシンボルが前記スイッチ部に入力されるシンボル入力速度に前記反復回数をかけた値であることを特徴とする請求項３に記載の非メモリ誤り訂正チャネルコーディングされた信号の反復伝送装置。
【請求項１６】
前記所定の第１の速度は、
前記第２の速度と同じであることを特徴とする請求項１５に記載の非メモリ誤り訂正チャネルコーディングされた信号の反復伝送装置。
【請求項１７】
前記記録スイッチ部は、
前記反復回数がＲである場合、前記チャネル符号化された信号のＮ番目のシンボルを前記メモリ部のＮ、Ｎ＋Ｍ＊１、・・・、Ｎ＋Ｍ＊（Ｒ−１）番目の位置の順序で順次記録するようにスイッチングし、
前記読取スイッチ部は、
前記メモリ部の１番目の位置から順次スイッチングすることを特徴とする請求項１６に記載の非メモリ誤り訂正チャネルコーディングされた信号の反復伝送装置。
【請求項１８】
前記所定の第１の速度は、
前記シンボル入力速度であることを特徴とする請求項１５に記載の非メモリ誤り訂正チャネルコーディングされた信号の反復伝送装置。
【請求項１９】
前記記録スイッチ部は、
前記チャネル符号化された信号のシンボルを前記メモリ部の１番目の位置から順次記録するようにスイッチングし、
前記読取スイッチ部は、
前記メモリ部の１番目の位置から順次スイッチングすることを特徴とする請求項１８に記載の非メモリ誤り訂正チャネルコーディングされた信号の反復伝送装置。
【請求項２０】
前記所定の第２の速度は、
前記チャネル符号化部によりチャネル符号化された信号のシンボルが前記メモリ部に入力されるシンボル入力速度に前記反復回数をかけた値であることを特徴とする請求項４に記載の非メモリ誤り訂正チャネルコーディングされた信号の反復伝送装置。
【請求項２１】
前記所定の第１の速度は、
前記第２の速度と同じであることを特徴とする請求項２０に記載の非メモリ誤り訂正チャネルコーディングされた信号の反復伝送装置。
【請求項２２】
前記記録アドレス発生部は、
前記反復回数がＲであり、前記チャネル符号化された信号が貯蔵される１番目のアドレスがＫである場合、前記チャネル符号化された信号のＮ番目のシンボルを前記メモリ部のＮ＋Ｋ、Ｎ＋Ｍ＊１＋Ｋ、・・・、Ｎ＋Ｍ＊（Ｒ−１）＋Ｋ番目のアドレスの順序で順次記録するように記録アドレスを発生させ、
前記読取アドレス発生部は、
前記メモリ部の前記Ｋ番目のアドレスから順次読み取るように読取アドレスを発生させることを特徴とする請求項２１に記載の非メモリ誤り訂正チャネルコーディングされた信号の反復伝送装置。
【請求項２３】
前記所定の第１の速度は、
前記シンボル入力速度であることを特徴とする請求項２０に記載の非メモリ誤り訂正チャネルコーディングされた信号の反復伝送装置。
【請求項２４】
前記記録アドレス発生部は、
前記チャネル符号化された信号のシンボルを前記メモリ部のＫ番目のアドレスから順次記録するように記録アドレスを生成させ、
前記読取アドレス発生部は、
前記メモリ部のＫ番目のアドレスから順次読み取るように読取アドレスを発生させ、
前記発生された読取アドレスｎが前記チャネル符号化された信号の長さであるＭを超える場合、前記読取アドレスをｎから（ｎ  ｍｏｄ  Ｍ）＋Ｋに変更させることを特徴とする請求項２３に記載の非メモリ誤り訂正チャネルコーディングされた信号の反復伝送装置。
【手続補正３】
【補正対象書類名】明細書
【補正対象項目名】０００１
【補正方法】変更
【補正の内容】
【０００１】
【発明の属する技術分野】
本発明は、物理階層チャネルコーディングの反復伝送に関し、特に時間多様性（ｔｉｍｅ−ｄｉｖｅｒｓｉｔｙ）を最大に確保する位置における反復伝送する装置、受信装置及びその方法に関する。


【手続補正４】
【補正対象書類名】明細書
【補正対象項目名】００１２
【補正方法】変更
【補正の内容】
【００１２】
したがって、本発明は、上記のような従来技術の問題点を解決するために案出されたものであって、非メモリ誤り訂正チャネルコーディング方法を介してコーディングされた信号を反復して伝送する場合、復調されたシンボルの時間多様性を最大に得ることのできる非メモリ誤り訂正チャネルコーディングされた信号の反復伝送装置、受信装置及びその方法を提供する。


【手続補正５】
【補正対象書類名】明細書
【補正対象項目名】００１３
【補正方法】変更
【補正の内容】
【００１３】
【課題を解決するための手段】
前述した目的を達成するため、本発明にかかる非メモリ誤り訂正チャネルコーディングされた信号の反復伝送装置は、伝送するデータを非メモリ誤り訂正チャネルコーディング信号にチャネル符号化するチャネル符号化部と、同じシンボル間の距離を一定に維持し、伝送単位内でシンボル間の間隔が最大となるように前記チャネル符号化部から出力されるチャネル符号化された信号のシンボルを反復させるシンボル反復部と、前記シンボル反復部からシンボルを入力されると、他の伝送データとデマルチプレックシング及び変調して伝送するシンボル伝送部とを含んでなることを特徴とする。


【手続補正６】
【補正対象書類名】明細書
【補正対象項目名】００１４
【補正方法】変更
【補正の内容】
【００１４】
好ましくは、前記シンボル反復部は、前記チャネル符号化された信号のシンボル全てを単位にして繰り返すことを特徴とする。


【手続補正７】
【補正対象書類名】明細書
【補正対象項目名】００１５
【補正方法】変更
【補正の内容】
【００１５】
さらに好ましくは、前記シンボル反復部は、前記チャネル符号化部によりチャネル符号化された信号のシンボルを貯蔵するメモリ部と、前記チャネル符号化部から出力される前記チャネル符号化された信号のシンボルを受信し、前記メモリ部に対して所定の第１の速度でスイッチングして、前記メモリ部に記録する記録スイッチ部と、前記メモリ部に対して所定の第２の速度でスイッチングして、前記メモリ部に記録貯蔵された前記チャネル符号化された信号のシンボルに対して同じシンボル間の距離を一定に維持し、伝送単位内でシンボル間の間隔が最大となるように所定の反復回数だけ読み取り、シンボル伝送部に出力する読取スイッチ部と、前記メモリ部、記録スイッチ部及び読取スイッチ部を制御するシンボル反復制御部とを含んでなることを特徴とする。


【手続補正８】
【補正対象書類名】明細書
【補正対象項目名】００１６
【補正方法】変更
【補正の内容】
【００１６】
さらに好ましくは、前記シンボル反復部は、前記チャネル符号化部によりチャネル符号化された信号のシンボルを貯蔵し、貯蔵された前記シンボルをシンボル伝送部に出力するメモリ部と、前記チャネル符号化部によりチャネル符号化された信号のシンボルを前記メモリ部に記録するために所定の第１の速度で記録アドレスを発生させる記録アドレス発生部と、前記メモリ部に記録された前記チャネル符号化された信号のシンボルに対して同じシンボル間の距離を一定に維持し、伝送単位内でシンボル間の間隔が最大となるように所定の反復回数だけ読み取るために所定の第２の速度で読取アドレスを発生させる読取アドレス発生部と、前記記録アドレス及び読取アドレスのいずれか一つのアドレスを選択して前記チャネル符号化部によりチャネル符号化された信号を前記メモリ部の前記記録アドレスに記録させるか、前記メモリ部の読取アドレスに記録貯蔵されたチャネル符号化された信号を読み取ってシンボル伝送部に出力させるアドレス選択部と、前記メモリ部、記録アドレス発生部、読取アドレス発生部及びアドレス選択部を制御するシンボル反復制御部とを含んでなることを特徴とする。


【手続補正９】
【補正対象書類名】明細書
【補正対象項目名】００１７
【補正方法】変更
【補正の内容】
【００１７】
また、本発明にかかる反復伝送装置からシンボルが反復伝送される非メモリ誤り訂正チャネルコーディングされた信号の受信装置は、前記シンボル伝送部から伝送される信号を受信して復調し、前記信号をデマルチプレックシングして非メモリ誤り訂正チャネルコーディングされた信号にチャネル符号化され反復されたシンボルのみを出力するシンボル受信部と、前記チャネル符号化され反復されたシンボルを結合して前記反復伝送装置において反復される前のチャネル符号化された信号に復旧するシンボル復旧部と、前記シンボル復旧部から出力されるチャネル符号化された信号に対してチャネル復号化するチャネル復号化部とを含んでなることを特徴とする。


【手続補正１０】
【補正対象書類名】明細書
【補正対象項目名】００１８
【補正方法】変更
【補正の内容】
【００１８】
好ましくは、前記シンボル復旧部は、前記シンボル受信部から出力されるチャネル符号化され反復されたシンボルを貯蔵し、貯蔵されたシンボルをチャネル複号化部に出力するメモリ部と、前記シンボル受信部から出力される前記シンボルのうちｎ（ｎは２より大きい自然数）回目に反復された任意のシンボルと前記メモリ部に既に記録貯蔵されたｎ−１回目に反復されたシンボルであって、前記ｎ回目に反復されたシンボルに対応するシンボルを結合して、前記メモリ部に貯蔵する結合部と、前記反復伝送装置におけるシンボル入力速度に前記反復回数をかけた値の速度で前記メモリ部の１番目の位置から順次スイッチングして、前記結合部とメモリ部とを結合させることによって、前記メモリ部に既に記録貯蔵されたシンボルを前記結合部に読み取らせ、前記結合部から出力されるシンボルを前記メモリ部に記録するスイッチ部と、前記メモリ部、結合部、及びスイッチ部を制御するシンボル復旧制御部とを含んでなることを特徴とする。


【手続補正１１】
【補正対象書類名】明細書
【補正対象項目名】００１９
【補正方法】変更
【補正の内容】
【００１９】
さらに好ましくは、前記シンボル復旧部は、前記シンボル受信部から出力されるチャネル符号化され反復されたシンボルを貯蔵し、貯蔵されたシンボルをチャネル複号化部に出力するメモリ部と、前記シンボル受信部から出力される前記シンボルのうち、ｎ（ｎは２より大きい自然数）回目に反復された任意のシンボルと前記メモリ部に既に記録貯蔵されたｎ−１回目に反復されたシンボルであって、前記ｎ回目に反復されたシンボルに対応するシンボルを結合して、前記メモリ部に貯蔵する結合部と、前記反復伝送装置におけるシンボル入力速度に前記反復回数をかけた値の速度で前記メモリ部の１番目のアドレスから順次記録するように記録アドレスを発生させ、前記結合部とメモリ部とを連結させることによって、前記メモリ部に既に記録貯蔵されたシンボルを前記結合部に読み取らせ、前記結合部から出力されるシンボルを前記メモリ部に記録させるアドレス発生部と、前記メモリ部、結合部及びアドレス発生部を制御するシンボル復旧制御部とを含んでなることを特徴とする。


【手続補正１２】
【補正対象書類名】明細書
【補正対象項目名】００２０
【補正方法】変更
【補正の内容】
【００２０】
また、本発明にかかる非メモリ誤り訂正チャネルコーディングされた信号の反復伝送方法は、伝送するデータを非メモリ誤り訂正チャネルコーディングされた信号にチャネル符号化するチャネル符号化ステップと、同じシンボル間の距離を一定に維持し、伝送単位内でシンボル間の間隔が最大となるように前記チャネル符号化ステップによりチャネル符号化された信号のシンボルを反復させるシンボル反復ステップと、前記シンボル反復ステップにより反復されたシンボルを他の伝送データとマルチプレックシング及び変調して伝送するシンボル伝送ステップとを含んでなることを特徴とする。


【手続補正１３】
【補正対象書類名】明細書
【補正対象項目名】００２１
【補正方法】変更
【補正の内容】
【００２１】
好ましくは、前記シンボル反復ステップは、前記チャネル符号化された信号のシンボル全てを単位にして繰り返すことを特徴とする。


【手続補正１４】
【補正対象書類名】明細書
【補正対象項目名】００２２
【補正方法】変更
【補正の内容】
【００２２】
さらに好ましくは、前記シンボル反復ステップは、前記チャネル符号化ステップによりチャネル符号化された信号のシンボルを所定の第１の速度でスイッチングしてメモリに記録する記録スイッチステップと、前記メモリに対して所定の第２の速度でスイッチングして前記記録されたシンボルに対して同じシンボル間の距離を一定に維持し、伝送単位内でシンボル間の間隔が最大となるように所定の反復回数だけ読み取る読取スイッチステップとを含んでなることを特徴とする。


【手続補正１５】
【補正対象書類名】明細書
【補正対象項目名】００２３
【補正方法】変更
【補正の内容】
【００２３】
さらに好ましくは、前記シンボル反復ステップは、前記チャネル符号化ステップによりチャネル符号化された信号のシンボルを記録するために所定の第１の速度で記録アドレスを発生させる記録アドレス発生ステップと、前記記録されたシンボルに対して同じシンボル間の距離を一定に維持し、伝送単位内でシンボル間の間隔が最大となるように所定の反復回数だけ読み取るために所定の第２の速度で読取アドレスを発生させる読取アドレス発生ステップと、前記記録アドレス及び読取アドレスのいずれか一つのアドレスを選択して前記チャネル符号化ステップによりチャネル符号化された信号をメモリの前記記録アドレスに記録させるか、前記メモリの読取アドレスに記録されたチャネル符号化された信号を読み取らせるアドレス選択ステップとを含んでなることを特徴とする。


【手続補正１６】
【補正対象書類名】明細書
【補正対象項目名】００２４
【補正方法】変更
【補正の内容】
【００２４】
また、本発明にかかる反復伝送方法によりシンボルが反復伝送される非メモリ誤り訂正チャネルコーディングされた信号の受信方法は、前記シンボル伝送ステップにより伝送される信号を受信して復調し、前記信号をデマルチプレックシングして非メモリ誤り訂正チャネルコーディング信号にチャンネル符号化され反復されたシンボルのみを出力するシンボル受信ステップと、前記チャネル符号化され反復されたシンボルを結合して、前記反復伝送方法で反復される前のチャネル符号化された信号に復旧するシンボル復旧ステップと、前記シンボル復旧ステップにより復旧されたチャネル符号化された信号に対してチャネル復号化するチャネル復号化ステップとを含んでなることを特徴とする。


【手続補正１７】
【補正対象書類名】明細書
【補正対象項目名】００２５
【補正方法】変更
【補正の内容】
【００２５】
好ましくは、前記シンボル復旧ステップは、前記シンボル受信ステップによりチャネル符号化され反復されたシンボルのうちｎ（ｎは２より大きい自然数）回目に反復された任意のシンボルと既にメモリに記録されたｎ−１回目に反復されたシンボルであって、前記ｎ回目に反復されたシンボルに対応するシンボルを結合する結合ステップと、前記反復伝送方法におけるシンボル入力速度に前記反復回数をかけた値の速度で前記メモリの１番目の位置から順次スイッチングして、前記結合ステップのために前記メモリに既に記録されたシンボルを読み取らせ、前記結合ステップにより結合されたシンボルを前記メモリに記録するスイッチステップとを含んでなることを特徴とする。


【手続補正１８】
【補正対象書類名】明細書
【補正対象項目名】００２６
【補正方法】変更
【補正の内容】
【００２６】
好ましくは、前記シンボル復旧ステップは、前記シンボル受信ステップによりチャネル符号化され反復されたシンボルのうちｎ（ｎは２より大きい自然数）回目に反復された任意のシンボルと既にメモリに記録されたｎ−１回目に反復されたシンボルであって、前記ｎ回目に反復されたシンボルに対応するシンボルを結合する結合ステップと、前記反復伝送方法におけるシンボル入力速度に前記反復回数をかけた値の速度で前記メモリの１番目のアドレスから順次記録するように記録アドレスを発生させて、前記結合ステップのために前記メモリに既に記録されたシンボルを読み取らせ、前記結合ステップにより結合されたシンボルを前記メモリに記録させるアドレス発生ステップとを含んでなることを特徴とする。


【手続補正１９】
【補正対象書類名】明細書
【補正対象項目名】００２７
【補正方法】変更
【補正の内容】
【００２７】
また、前記所定の第２の速度は、前記チャネル符号化部によりチャネル符号化された信号のシンボルが前記スイッチ部に入力されるシンボル入力速度に前記反復回数をかけた値であることを特徴とする。


【手続補正２０】
【補正対象書類名】明細書
【補正対象項目名】００２８
【補正方法】変更
【補正の内容】
【００２８】
ここで、前記所定の第１の速度は、前記第２の速度と同じであることを特徴とする。


【手続補正２１】
【補正対象書類名】明細書
【補正対象項目名】００２９
【補正方法】変更
【補正の内容】
【００２９】
ここで、前記記録スイッチ部は、前記反復回数がＲである場合、前記チャネル符号化された信号のＮ番目のシンボルを前記メモリ部のＮ、Ｎ＋Ｍ＊１、・・・、Ｎ＋Ｍ＊（Ｒ−１）番目の位置の順序で順次記録するようにスイッチングし、前記読取スイッチ部は、前記メモリ部の１番目の位置から順次スイッチングすることを特徴とする。


【手続補正２２】
【補正対象書類名】明細書
【補正対象項目名】００３０
【補正方法】変更
【補正の内容】
【００３０】
また、前記所定の第１の速度は、前記シンボル入力速度であることを特徴とする。


【手続補正２３】
【補正対象書類名】明細書
【補正対象項目名】００３１
【補正方法】変更
【補正の内容】
【００３１】
ここで、前記記録スイッチ部は、前記チャネル符号化された信号のシンボルを前記メモリ部の１番目の位置から順次記録するようにスイッチングし、前記読取スイッチ部は、前記メモリ部の１番目の位置から順次スイッチングすることを特徴とする。


【手続補正２４】
【補正対象書類名】明細書
【補正対象項目名】００３２
【補正方法】変更
【補正の内容】
【００３２】
また、前記所定の第２の速度は、前記チャネル符号化部によりチャネル符号化された信号のシンボルが前記メモリ部に入力されるシンボル入力速度に前記反復回数をかけた値であることを特徴とする。


【手続補正２５】
【補正対象書類名】明細書
【補正対象項目名】００３３
【補正方法】変更
【補正の内容】
【００３３】
ここで、前記所定の第１の速度は、前記第２の速度と同じであることを特徴とする。


【手続補正２６】
【補正対象書類名】明細書
【補正対象項目名】００３４
【補正方法】変更
【補正の内容】
【００３４】
ここで、前記記録アドレス発生部は、前記反復回数がＲであり、前記チャネル符号化された信号が貯蔵される１番目のアドレスがＫである場合、前記チャネル符号化された信号のＮ番目のシンボルを前記メモリ部のＮ＋Ｋ、Ｎ＋Ｍ＊１＋Ｋ、・・・、Ｎ＋Ｍ＊（Ｒ−１）＋Ｋ番目のアドレスの順序で順次記録するように記録アドレスを発生させ、前記読取アドレス発生部は、前記メモリ部の前記Ｋ番目のアドレスから順次読み取るように読取アドレスを発生させることを特徴とする。


【手続補正２７】
【補正対象書類名】明細書
【補正対象項目名】００３５
【補正方法】変更
【補正の内容】
【００３５】
また、前記所定の第１の速度は、前記シンボル入力速度であることを特徴とする。


【手続補正２８】
【補正対象書類名】明細書
【補正対象項目名】００３６
【補正方法】変更
【補正の内容】
【００３６】
ここで、前記記録アドレス発生部は、前記チャネル符号化された信号のシンボルを前記メモリ部のＫ番目のアドレスから順次記録するように記録アドレスを生成させ、前記読取アドレス発生部は、前記メモリ部のＫ番目のアドレスから順次読み取るように読取アドレスを発生させ、前記発生された読取アドレスｎが前記チャネル符号化された信号の長さであるＭを超える場合、前記読取アドレスをｎから（ｎ  ｍｏｄ  Ｍ）＋Ｋに変更させることを特徴とする。


【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】